(57)【特許請求の範囲】
【請求項１】
足場用建枠の横材間に足場板両端の係止フックを係止させることにより足場板を架け渡して枠組みされる枠組足場における足場板の横滑りを防止するスペーサーであって、足場用建枠の縦材とその横材に係止された係止フックとの間、又は隣合う係止フック間に形成される横材長手方向の隙間を埋めるように横材に嵌脱自在に嵌合されるスペーサー本体からなる足場板の横滑り防止用スペーサー。
【請求項２】
スペーサー本体は鞍形に形成されている請求項１に記載の足場板の横滑り防止用スペーサー。
【請求項３】
スペーサー本体の一端部に、このスペーサー本体を足場用建枠の横材に嵌合させた状態でその縦材の外周面部に係合して横材周りでのスペーサー本体の回動を阻止する回り止め部が設けられている請求項１又は２に記載の足場板の横滑り防止用スペーサー。
【発明の詳細な説明】
【０００１】
【発明の属する技術分野】
本発明は、足場用建枠の横材間に足場板両端の係止フックを係止させることにより足場板を架け渡して枠組みされる枠組足場において、その足場板の横滑りを防止するためのスペーサーに関する。
【０００２】
【従来の技術】
図１に示すように、枠組足場に使用される足場用建枠４は、左右一対の縦材１，１と、両縦材１，１の上端部どうしをつなぐ横材２と、補強材３，３とによって門形に形成されている。そして、現在使用されている足場用建枠４には、両縦材１，１間の寸法（軸芯間の距離）が１２１９ｍｍと９００ｍｍと６００ｍｍの３種類がある。図１及び図２に示す足場用建枠４は両縦材１，１間の寸法Ｈａが１２１９ｍｍのもの、図４に示す足場用建枠４は両縦材１，１間の寸法Ｈｂが９００ｍｍのもの、図５に示す足場用建枠４は両縦材１，１間の寸法Ｈｃが６００ｍｍのものを示す。
【０００３】
また、前後に対向する足場用建枠４，４の横材２，２間に架け渡される足場板５は、足場板本体６の前後両端に夫々係止フック７，７を突設してなるもので、図２、図４及び図５に示すように、足場板本体６の幅Ｗａが５００ｍｍの足場板５と、足場板本体６の幅Ｗｂが２４０ｍｍの足場板５の２種類がある。
【０００４】
【発明が解決しようとする課題】
しかして、上記のように３種類ある足場用建枠４に２種類ある足場板５を架け渡して使用する場合には、次のような問題が生ずる。
【０００５】
即ち、先ず、図２に示すように、両縦材１，１間の寸法Ｈａが１２１９ｍｍの足場用建枠４に足場板本体６の幅Ｗａが５００ｍｍの足場板５を２枚並列させた状態に架け渡して使用する場合、両足場板５，５を互いに寄せ付けると共に各足場用建枠４の一方の縦材１側に引き寄せて、両足場用建枠４，４に架け渡すと、各足場用建枠４の他方の縦材１と、この縦材１の近くで横材２に係止された係止フック７との間に形成される横材長手方向の隙間Ｓａは、約１２５ｍｍとなる。このように足場用建枠４の一方の縦材１と、これに近い位置で横材２に係止された係止フック７との間に１２５ｍｍもの隙間ができると、この足場板５に乗って作業者が作業をする時に、何かの拍子で足場板５に横方向の力がかかると、その足場板５が隙間のある方向へ横滑りを起こして、非常に危険な事態を招くことになる。
【０００６】
また図４に示すように、両縦材１，１間の寸法Ｈｂが９００ｍｍの足場用建枠４に足場板本体６の幅Ｗａが５００ｍｍの足場板５と足場板本体６の幅Ｗｂが２４０ｍｍの足場板５との２枚を並列させた状態に架け渡して使用する場合にも、２枚の足場板５，５を互いに寄せ付けると共に各足場用建枠４の一方の縦材１側に引き寄せて両足場用建枠４，４に架け渡すと、各足場用建枠４の他方の縦材１と、この縦材１の近くで横材２に係止された係止フック７との間の隙間Ｓｂは、約６５ｍｍとなり、この場合も足場板５が横滑りを起こすことがあって危険である。
【０００７】
更に図５に示すように、両縦材１，１間の寸法Ｈｃが６００ｍｍの足場用建枠４に足場板本体６の幅Ｗａが５００ｍｍの足場板５を架け渡して使用する場合にも、その足場板５を各足場用建枠４の一方の縦材１側に引き寄せた状態で両足場用建枠４，４に架け渡すと、各足場用建枠４の他方の縦材１と、この縦材１に対向する位置で横材２に係止された係止フック７との間の隙間Ｓｃは約３５ｍｍとなる。
【０００８】
本発明は、上記のような問題に鑑み、足場用建枠の縦材とその横材に係止された足場板の係止フックとの間、又は横材上で隣合う係止フック間に形成される横材長手方向の隙間を埋めて、足場板の横滑りを防止するようにした足場板の横滑り防止用スペーサーを提供することを目的とする。
【０００９】
【課題を解決するための手段】
請求項１に係る発明は、足場用建枠４，４の横材２，２間に足場板両端の係止フック７を係止させることにより足場板５を架け渡して枠組みされる枠組足場における足場板５の横滑りを防止するスペーサーであって、足場用建枠４の縦材１とその横材２に係止された係止フック７との間、又は隣合う係止フック７，７間に形成される横材長手方向の隙間を埋めるように横材２に嵌脱自在に嵌合されるスペーサー本体１１からなることを特徴とする。
【００１０】
請求項２は、請求項１に記載の足場板の横滑り防止用スペーサーにおいて、スペーサー本体１１は鞍形に形成されていることを特徴とする。
【００１１】
請求項３は、請求項１又は２に記載の足場板の横滑り防止用スペーサーにおいて、スペーサー本体１１の一端部に、このスペーサー本体１１を足場用建枠４の横材２に嵌合させた状態でその縦材１の外周面部に係合して横材２周りでのスペーサー本体１１の回動を阻止する回り止め部９が設けられていることを特徴としている。
【００１２】
【発明の実施の形態】
図１及び図２は、夫々両縦材１，１間の寸法Ｈａが１２１９ｍｍの足場用建枠４，４に足場板本体６の幅Ｗａが５００ｍｍの足場板５を２枚並列させた状態に架け渡して枠組みされる枠組足場を示したもので、この場合、両足場板５，５を互いに寄せ付けると共に各足場用建枠４の一方の縦材１側に引き寄せた状態で両足場用建枠４，４に架け渡すと、各足場用建枠４の他方の縦材１と、この縦材１に近い位置で横材２係止された係止フック７との間の横材長手方向の隙間Ｓａが前記のように約１２５ｍｍとなるから、図２の仮想線で示すように、隙間Ｓａを形成する縦材１と係止フック７との間の横材２部分に横滑り防止用スペーサー１０を嵌め込む。
【００１３】
上記横滑り防止用スペーサー１０は、足場用建枠４の縦材１とこの縦材１に近くで横材２に係止された足場板５の係止フック７との間の横材長手方向の隙間Ｓａを埋めるように横材２に嵌合されるスペーサー本体１１からなるもので、このスペーサー本体１１は、塩化ビニルやポリエチレンあるいはポリプロピレン等の合成樹脂によって、図３に示すように断面略Ｃ字状の鞍形で中空状に形成されている。
【００１４】
この断面略Ｃ字状の鞍形に形成される中空状のペーサー本体１１は、図３に示すように、内周壁部１１ａと、外周壁部１１ｂと、両端壁部１１ｃ，１１ｃと、これらの壁部１１ａ，１１ｂ，１１ｃ，１１ｃ間に形成される空間部１１ｄとによって構成される。この場合、足場用建枠４の横材２の外径Ｄが例えば４２．７ｍｍであるとき、内周壁部１１ａの内径Ｎは例えば４４ｍｍ、その開口部Ｏの開口幅Ｈは、横材２の外径Ｄより若干狭く、例えば例えば３９ｍｍとし、また内周壁部１１ａ及び外周壁部１１ｂの夫々の厚さｔは２〜３ｍｍで、内周壁部１１ａと外周壁部１１ｂとの間の空間部１１ｄの厚みＭは１５〜２０ｍｍ程度とする。また、このスペーサー本体１１の長さＬは、足場用建枠４の縦材１と係止フック７との隙間Ｓａが１２５ｍｍであるから、この隙間Ｓａの長さ１２５ｍｍよりも若干短い、例えば１２０ｍｍにすればよい。尚、この実施形態では、スペーサー本体１１を中空状に形成しているが、中実状に形成してもよい。但し、実施形態のように中空状に形成すれば、横滑り防止用スペーサー１０の体積が大きくなって、スペーサー１０としての機能を十分に発揮できると共に、軽量となるため、持ち運び及び取扱いに便利である。
【００１５】
また、図３の（Ａ）に示すように、スペーサー本体１１の一端部には、このスペーサー本体１１を足場用建枠４の横材２に嵌合させた状態でその縦材１の外周面部に係合して横材周りでのスペーサー本体の回動を阻止する回り止め部９が設けられている。この回り止め部９は、スペーサー本体１１の一端壁部１１ｃが縦材１の外周面部（凸部）に対応する平面視円弧状の凹部からなるものである。このようにスペーサー本体１１の一端部に回り止め部９を設けることによって、スペーサー本体１１を足場用建枠４の横材２に馬乗り状態に嵌め込んで取り付けたとき、このスペーサー本体１１が振動等により横材２の周りに回転して下向き姿勢になるようなことがなく、足場板５の横滑りを防止すると云うスペーサー１０の機能を十分に発揮することができる。尚、スペーサー本体１１は、横材２に対し下向き姿勢に取り付けても、足場板の横滑り防止機能を発揮できるが、横材２に馬乗り状態に取り付けることによって、その機能を確実且つ十分に発揮させることができる。
【００１６】
上記のように構成される横滑り防止用スペーサー１０の使用にあたっては、図３の（Ｂ）に示すように、スペーサー本体１１を仮想線で示すように位置から、横材２に対し押し込むと、その押し込み時に開口部Ｏが弾性変形により開いて、同図の実線で示すように横材２に嵌合されて固定された状態となる。こうして、隙間Ｓａを形成する縦材１と係止フック７との間の横材２部分にスペーサー１０を嵌め込むことにより、その隙間Ｓａが埋まるから、作業者が足場板５に乗って作業する時に、足場板５が横滑りを起こすことがなくなり、作業の安全が確保される。尚、取り外し時には、スペーサー本体１１を外方へ引っ張れば、このスペーサー本体１１の弾性変形によって、横材２から簡単に外すことができる。
【００１７】
図１及び図２に示す実施形態では、両足場板５，５を互いに寄せ付けると共に各足場用建枠４の一方の縦材１側に引き寄せた状態で両足場用建枠４，４に架け渡した時に他方の縦材１とこの縦材１の近くの横材２との間に形成される長さ約１２５ｍｍの隙間Ｓａに、上記のように長さＬが１２０ｍｍのスペーサー１０を嵌め込んで、足場板５の横滑りを防止するようにしたが、他の方法として、図示は省略するが、両足場板５，５を互いに寄せ付けると共に足場用建枠４の各縦材１と足場板５の外端側の係止フック７との間に夫々同じ長さの隙間ができるように架け渡すようにすれば、各縦材１とその係止フック７との間に夫々上記１２５ｍｍの隙間Ｓａの半分の隙間を形成するから、その隙間に、上記スペーサー１０の半分の長さのものを嵌め込むようにすればよい。
【００１８】
図４は、夫々縦材１，１間の寸法Ｈｂが９００ｍｍの足場用建枠４，４に足場板本体６の幅Ｗａが５００ｍｍの足場板５と足場板本体６の幅Ｗｂが２４０ｍｍの足場板５との２枚を並列させた状態に架け渡して枠組する場合を示すもので、この場合は、両足場板５，５を互いに寄せ付けると共に各足場用建枠４の一方の縦材１側に引き寄せた状態で両足場用建枠４，４に架け渡すと、各足場用建枠４の他方の縦材１と、この縦材１に近い位置で横材２係止された係止フック７との間に約６５ｍｍの隙間Ｓｂが形成されるから、図４の仮想線で示すように、その隙間Ｓｂを形成する縦材１と係止フック７との間の横材２部分に横滑り防止用スペーサー２０を嵌め込む。
【００１９】
この横滑り防止用スペーサー２０は、図３に示す前記スペーサー１０のスペーサー本体１１と同様に、合成樹脂で断面略Ｃ字形筒状体に形成されたスペーサー本体からなるもので、長さのみが前記スペーサー本体１１と異なる。即ち、このスペーサー２０のスペーサー本体の長さは、図５に示す隙間Ｓｂの長さ６５ｍｍより若干短い、例えば６０ｍｍにすればよい。このスペーサー２０の取付方法及び取外し方法については、前記スペーサー１０の場合と同様である。
【００２０】
図５は、両縦材１，１間の寸法Ｈｃが６００ｍｍの足場用建枠４に足場板本体６の幅Ｗａが５００ｍｍの足場板５を架け渡して枠組みする場合を示すもので、この場合、足場板５を各足場用建枠４の一方の縦材１側に引き寄せて両足場用建枠４，４に架け渡すと、各足場用建枠４の他方の縦材１と、この縦材１の近くで横材２係止された係止フック７との間には３５ｍｍ程度の隙間Ｓｃが形成され、この程度の隙間であれば足場板５が横滑りしても、危険性は少ないが、より安全を期するために、図４の仮想線で示すように、その隙間Ｓｃを形成する縦材１と係止フック７との間の横材２部分に、横滑り防止用スペーサー３０を嵌め込む。このスペーサー３０も前記スペーサー１０，２０のスペーサー本体と同様なスペーサー本体からなるもので、長さが３０ｍｍ程度となる。
【００２１】
図１〜図５に示す実施形態では、足場用建枠４の縦材１と、この縦材１の近くで横材２に係止される係止フック７との間の横材長手方向隙間Ｓａ，Ｓｂ，Ｓｃにスペーサー１０，２０，３０を嵌め込んで、足場板５の横滑りを防止するようにしたが、２枚の足場板５を並列状態で架け渡す場合に、各足場板５の外端側の係止フック７を足場用建枠４の縦材１に当接させ、横材２の中央部側で隣合う係止フック７，７間に隙間を形成して、その隙間にスペーサーを嵌め込むようにしてもよく、こうすることによっても足場板５の横滑りを防止できる。
【００２２】
図６は、本発明に係る横滑り防止用スペーサーの他の実施形態を示すもので、ここに示すスペーサー４０は、スペーサー本体１１が断面コ字状の鞍形に形成されており、またこのスペーサー本体１１の一端部に設けられた回り止め部９は、スペーサー本体１１の一端壁部１１ｃが縦材１の外周面部に係合するような平面視略コ字状の凹部からなるものである。また、図７は、更に他の実施形態による横滑り防止用スペーサー５０を示し、このスペーサー５０は、スペーサー本体１１がばね性を有する金属板材によって例えば断面略々Ω状に形成されてなるもので、このスペーサー本体１１の有するばね性を利用して、足場用建枠４の横材２に嵌脱自在に嵌合させるようになっている。このスペーサー本体１１の一端部にも回り止め部９が設けられている。
【００２３】
【発明の効果】
請求項１に係る発明は、足場用建枠の縦材とその横材に係止された係止フックとの間、又は隣合う係止フック間に形成される横材長手方向の隙間を埋めるように横材に嵌合されるスペーサー本体からなるスペーサーであって、このスペーサーを使用することにより、上記の隙間が埋まるから、作業者が足場板に乗って作業するような時に、足場板が横滑りを起こすことがなくなり、作業の安全が確保される。また、このスペーサーは、横材に対し嵌脱自在であるから、取付け及び取外しが容易である。
【００２４】
請求項２に記載のように、スペーサー本体を鞍形に形成すれば、足場用建枠の横材に対する取付け及び取外しが容易になると共に、スペーサー本体の構造が簡単で量産に好適となり、安価に提供することができる。
【００２５】
請求項３に記載のように、スペーサー本体の一端部に回り止め部を設けたことにより、スペーサー本体を足場用建枠の横材に馬乗り状態に嵌め込んで取り付けたとき、このスペーサー本体が振動等により横材周りに回転して下向き姿勢になるようなことがなく、スペーサーとしての機能を十分に発揮できる。
【図面の簡単な説明】
【図１】  本発明の一使用例である枠組足場の斜視図ある。
【図２】  図１に示す枠組足場の平面図である。
【図３】  （Ａ）は本発明に係るスペーサーの一実施形態を示す斜視図、（Ｂ）はそのスペーサーの拡大横断面図である。
【図４】  本発明に係るスペーサーの更に他の使用例である枠組足場の平面図である。
【図５】  本発明に係るスペーサーの更に他の使用例である枠組足場の平面図である。
【図６】  本発明に係るスペーサーの他の実施形態を示す斜視図である。
【図７】  本発明に係るスペーサーの更に他の実施形態の斜視図である。
【符号の説明】
１            足場用建枠の縦材
２            足場用建枠の横材
３            足場用建枠の補強材
４            足場用建枠
５            足場板
６            足場板本体
７            係止フック
９            回り止め部
１０          横滑り防止用スペーサー
１１          スペーサー本体
２０          横滑り防止用スペーサー
３０          横滑り防止用スペーサー
４０          横滑り防止用スペーサー
５０          横滑り防止用スペーサー
【図１】
0003868213.tif 000002
【図２】
0003868213.tif 000003
【図３】
0003868213.tif 000004
【図４】
0003868213.tif 000005
【図５】
0003868213.tif 000006
【図６】
0003868213.tif 000007
【図７】
0003868213.tif 000008